(57)【要約】【課題】  干渉や妨害を回避して宛先装置へ高帯域幅データ送信可能な自己構成適応型三次元無線ネットワークを提供する。【解決手段】  本発明の自己構成適応型三次元無線ネットワークは複数のアクセス・ポイントを含み、第１アクセス・ポイント（１１、２０ａ、８０）はソースからメディア・データを受信して第１データ・レートで下流に送信する。建物には複数の追加アクセス・ポイント（２０ｂ、２０ｃ、６０ａ、６０ｂ）が配置され、それらの各々は第１チャンネル上のメディア・コンテントを受信する上流送受信機（７４）及び実質的に第１データ・レートで第２チャンネル上で再送信する下流送受信機（７５）を含み、宛先装置（２５、８１）へメディア・コンテントを送信する。追加アクセス・ポイントは、近隣に位置する１つ又は複数の宛先装置へメディア・コンテントを送信する追加の送受信機（７６）を備える。【選択図】          図１３
2004248289.tif 000002
【特許請求の範囲】
【請求項１】
宛先装置へデータを無線送信するためのネットワークであって、
データ・ソースからデータを受信するため接続され、データを第１周波数チャンネル上で送信するための第１送受信機を含む無線ルーターと、
第１周波数チャンネル上のデータを受信するための第２送受信機及び第１周波数チャンネルとは異なる第２周波数チャンネル上でデータを再送信するための第３送受信機を含む無線リピーターと、
無線リピーターからの第２周波数チャンネル上のデータを受信するための第４送受信機を含み、宛先装置へ接続された無線受信機と、
を含むネットワーク。
【請求項２】
第１、第２、第３、及び第４送受信機が、２．４ＧＨｚ周波数帯域又は５ＧＨｚ周波数帯域のいずれかで動作する請求項１に記載のネットワーク。
【請求項３】
１つ又は複数の追加の無線リピーターをさらに含み、追加の無線リピーターの各々がデータを受信するための上流送受信機及びデータを再送信するための下流送受信機を有し、無線ルーターと無線受信機との間のネットワーク範囲を拡張するために配置されている請求項１に記載のネットワーク。
【請求項４】
１つ又は複数の追加の無線リピーターの各々が、近隣に位置する１つ又は複数の追加の宛先装置へデータを送信するための追加送受信機をさらに含む請求項３に記載のネットワーク。
【請求項５】
無線ルーター及び無線リピーターの第１及び第２周波数チャンネルを自己構成するための手段をさらに含む請求項１に記載のネットワーク。
【請求項６】
第１、第２、第３、及び第４送受信機が、８０２．１１ｘ仕様に準拠して動作する請求項１に記載のネットワーク。
【請求項７】
宛先装置が、テレビジョンを含む請求項１に記載のネットワーク。
【請求項８】
宛先装置が、コンピュータを含む請求項１に記載のネットワーク。
【請求項９】
建物でのデータ・ストリームの無線送信用のネットワークであって、
ソースからのデータ・ストリームを受信するために接続されて第１データ・レートでデータを送信する第１アクセス・ポイントと、
各々が第１チャンネル上でデータ・ストリームを受信するための上流送受信機及び第２チャンネル上で実質的に第１データ・レートでデータ・ストリームを再送信するための下流送受信機を含む、建物に分布された複数の追加アクセス・ポイントと、
を含む複数のアクセス・ポイントを有するネットワーク。
【請求項１０】
第１アクセス・ポイントが、５ＧＨｚ周波数帯域で送信する送受信機を持つ無線チューナーを含む請求項９に記載のネットワーク。
【請求項１１】
第１データ・レートが、３０Ｍｂｐｓ又はそれ以上である請求項９に記載のネットワーク。
【請求項１２】
追加アクセス・ポイントの各々が、近隣に位置する１又は複数の無線宛先装置と通信するための追加送受信機をさらに含む請求項９に記載のネットワーク。
【請求項１３】
追加の送受信機が、２．４ＧＨｚ帯域で動作する請求項１２に記載のネットワーク。
【請求項１４】
アクセス・ポイントを最適な性能結果を与える一組のチャンネルに従い動作するように構成するためのコンピュータ実行可能プログラムをさらに含む請求項１０に記載のネットワーク。
【請求項１５】
コンピュータ実効可能プログラムが、第１アクセス・ポイントのプロセッサ上で実行される請求項１４に記載のネットワーク。
【請求項１６】
第１アクセス・ポイント及び追加アクセス・ポイントが、ツリー・トポロジイに配置されている請求項１４に記載のネットワーク。
【請求項１７】
一組のチャンネルが、２．４ＧＨｚ周波数帯域又は５ＧＨｚ周波数帯域のいずれかを占める請求項１４に記載のネットワーク。
【請求項１８】
高帯域幅データの実時間無線送信用のネットワークであって、
各々が近隣に位置する１つ又は複数の無線宛先装置へデータを送信し及びその１つ又は複数の無線宛先装置から送信されたデータを受信するために構成されて第１周波数帯域にて動作する第１送受信機を有する複数のアクセス・ポイントを含み、複数のアクセス・ポイントが、
ソースからのデータを受信するために接続されて、データを指定されたデータ・レートで複数のチャンネルを含む第２周波数帯域にてネットワークを横断して下流へ送信する第２送受信機を有する第１アクセス・ポイントと、
トポロジイに配置されて、各々が１つチャンネル上でデータを受信するための上流送受信機及びデータを実質的に指定されたデータ・レートで異なるチャンネルにて再送信するための下流送受信機を有する複数のリピーターと、
最適な性能結果を与えるためにアクセス・ポイントへ特定のチャンネルを割当てるための手段と、
を含むネットワーク。
【請求項１９】
第１周波数帯域が、２．４ＧＨｚ帯域である請求項１８に記載のネットワーク。
【請求項２０】
第１アクセス・ポイントが、人工衛星チューナーを含む請求項１８に記載のネットワーク。
【請求項２１】
第１アクセス・ポイントが、ケーブル・テレビジョン・チューナーを含む請求項１８に記載のネットワーク。
【請求項２２】
無線リピーターの１つからデータを受信し、そしてデータを１つ又は複数の無線テレビジョン装置へ出力するための受信機をさらに含む請求項１８に記載のネットワーク。
【請求項２３】
第２周波数帯域が、５ＧＨｚ周波数帯域を含む請求項１８に記載のネットワーク。
【請求項２４】
指定されたデータ・レートが、３０Ｍｂｐｓ又はそれより大きい請求項１８に記載のネットワーク。
【請求項２５】
各リピーターが、そのリピーターと別のアクセス・ポイントとの間の送信信号品質を決定する回路を含み、この回路は送信信号品質の視覚的指示を与える出力表示パネルを含む請求項１９に記載のネットワーク。
【請求項２６】
高帯域幅データの実時間無線送信のためのネットワークであって、
各々が近隣に位置する１つ又は複数のクライアント装置へデータを送信し及びその１つ又は複数のクライアント装置から送信されたデータを受信するように構成されて第１周波数帯域にて動作する第１送受信機を有する複数のアクセス・ポイントを含み、複数のアクセス・ポイントが、
ソースからのデータを受信するために接続されて、データを指定されたデータ・レートで複数のチャンネルを含む第２周波数帯域にてネットワークを横断して下流へ送信する第２送受信機を有する第１アクセス・ポイントと、
ツリー・トポロジイ中に配置されて、各々が１つチャンネル上でデータを受信する上流送受信機及びデータを実質的に指定されたデータ・レートで異なるチャンネルにて再送信する下流送受信機を有する複数のリピーターと、
実行されるとアクセス・ポイントを特定のチャンネルの割当に従い動作するように構成させるコンピュータ実行可能プログラムと、
を含むネットワーク。
【請求項２７】
新しいチャンネルの組に従い動作するようにアクセス・ポイントを再構成するためにコンピュータ実行可能プログラムを再実行することにより、ネットワークを干渉源に対して適応させるための手段をさらに含む請求項２６に記載のネットワーク。
【請求項２８】
第１アクセス・ポイントが、無線人工衛星チューナーを含む請求項２６に記載のネットワーク。
【請求項２９】
第１アクセス・ポイントが、無線ケーブル・テレビジョン・チューナーを含む請求項２６に記載のネットワーク。
【請求項３０】
無線リピーターの１つからデータを受信し、そしてメデイア・コンテントを宛先装置へ出力するための受信機をさらに含む請求項２６に記載のネットワーク。
【請求項３１】
第２周波数帯域が、５ＧＨｚ周波数帯域を含む請求項２６に記載のネットワーク。
【請求項３２】
指定されたデータ・レートが、３０Ｍｂｐｓ又はそれより大きい請求項２６に記載のネットワーク。
【請求項３３】
各リピーターが、そのリピーターと別のアクセス・ポイントとの間の送信信号品質を決定する回路を含み、この回路は送信信号品質の視覚的指示を与える出力表示パネルを含む請求項２６に記載のネットワーク。
【請求項３４】
建物に配置された複数の宛先装置へのデータの高帯域幅無線送信のためのシステムであって、
第１及び第２無線ネットワークを含み、各無線ネットワークは、
各々が近隣に位置する１つ又は複数の無線クライアント装置へデータを送信し及びその１つ又は複数の無線クライアント装置から送信されたデータを受信するように構成されて第１周波数帯域にて動作する第１送受信機を有する複数のアクセス・ポイントを含み、この複数のアクセス・ポイントは、
ソースからのデータを受信するために接続されて、データを指定されたデータ・レートで複数のチャンネルを含む第２周波数帯域にて送信する第２送受信機を有する第１アクセス・ポイントと、
トポロジイに配置されて、各々が１つチャンネル上でデータを受信する上流送受信機及びデータを実質的に指定されたデータ・レートで異なるチャンネル上に再送信する下流送受信機を有する複数のリピーターと、
を含むシステム。
【請求項３５】
各ネットワークが、実行されるとアクセス・ポイントをチャンネルの組に従い動作するように構成させるコンピュータ実行可能プログラムをさらに含む請求項３４に記載のシステム。
【請求項３６】
第１及び第２無線ネットワークの各々が、無線リピーターの１つからデータを受信してそのデータを宛先装置の１つへ出力する無線受信機をさらに含む請求項３４に記載のシステム。
【請求項３７】
第２周波数帯域が、５ＧＨｚ周波数帯域を含む請求項３４に記載のシステム。
【請求項３８】
指定されたデータ・レートが、３０Ｍｂｐｓ又はそれより大きい請求項３４に記載のシステム。
【請求項３９】
建物でのデータ・ストリームの無線送信のためのネットワークであって、
各々が、最大帯域幅の第１送信範囲及び信号干渉の第２送信範囲を有し、第１送信範囲よりも小さい第１距離だけ最近の隣接するものから離間したトポロジイに配置された、複数のアクセス・ポイントを含み、複数のアクセス・ポイントは、
ソースからのデータ・ストリームを受信するために接続されて、データ・ストリームを第１データ・レートで複数のチャンネルを持つ第１周波数帯域の第１チャンネル上で送信する第１アクセス・ポイントと、
データ・ストリームを受信してデータ・ストリームを実質的に第１データ・レートで第１周波数帯域にて再送信する１つ又は複数の追加アクセス・ポイントとを含み、
各アクセス・ポイントは複数のチャンネルの中の１つで送信して、同じチャンネルで送信するアクセス・ポイントのいずれの対も第２送信範囲より大きい距離だけ離間されているネットワーク。
【請求項４０】
第１アクセス・ポイントが、無線人工衛星チューナーを含む請求項３９に記載のネットワーク。
【請求項４１】
第１アクセス・ポイントが、無線データ・ルーターを含む請求項３９に記載のネットワーク。
【請求項４２】
１つ又は複数の追加アクセス・ポイントの各々が、特定のチャンネル上でデータ・ストリームを受信する上流送受信機及び異なるチャンネル上でデータ・ストリームを再送信する下流送受信機を含む請求項３９に記載のネットワーク。
【請求項４３】
第１周波数帯域が、５ＧＨｚ周波数帯域を含む請求項３９に記載のネットワーク。
【請求項４４】
第１データ・レートが、３０Ｍｂｐｓ又はそれより大きい請求項３９に記載のネットワーク。
【発明の詳細な説明】
【技術分野】
【０００１】
本願は、同時係属出願の「三次元無線ネットワークの操作方法」に関連する。
本発明は、一般に、無線ネットワークに関し、より詳細には、家庭又は事務所での使用のために無線ネットワークを構成し、拡張し、及び維持するための方法及び装置に関する。
【背景技術】
【０００２】
最近、無線ネットワークが従来の有線ローカル・エリア・ネットワーク（ＬＡＮ）のフレキシブルで費用効果的な代替として出現している。家庭及び事務所において、人々は、作業をしている際又は居間から寝室へ移動する際、運搬することのできるラップトップ及びハンドヘルド装置を使用する傾向が深まっている。これにより無線技術をラップトップ・コンピュータ、デジタル・バーサタイル・デイスク（ＤＶＤ）プレイヤー、テレビジョン・セット、及び他のメディア装置などの家庭及びオフィス消費者電子装置のためのイーサネット（登録商標）・タイプＬＡＮの魅力的な代替として製造産業が見るようになっている。さらに、無線ネットワークは物理的な配線の必要性が無いため、それらは相対的に容易に導入できる。
【０００３】
家庭及びオフィス建物で使用できるように適応された無線通信システムは典型的に、デジタル加入者線（ＤＳＬ）又はケーブル・モデムなどの高速接続を介して対話式データ・ネットワーク（例えば、インターネット）に接続するアクセス・ポイントを含む。アクセス・ポイントは普通、建物中に位置する遠隔端末又はクライアント装置へデータを送信し及びからデータを受信するのに十分な信号強度を持つように構成されている。例えば、家庭内の可搬型コンピュータは、アクセス・ポイントを介してデータを送受信することが可能な無線トランシーバを備えたＰＣＭＣＩＡカードを有するであろう。アクセス・ポイントと無線クライアント装置との間に交換されるデータは、一般に、パケット・フォーマットで送られる。データ・パケットは、ソース・アドレス、宛先アドレス、同期ビット、スラー修正コード等の情報も運搬する。
【０００４】
無線装置とアクセス・ポイントとの間にパケット情報を送信するためのさまざまな無線通信プロトコルが、世界中で採用されている。例えば、米国では、産業応用では、ＩＥＥＥ仕様８０２．１１及びブルートース無線プロトコルが広く使用されている。ＩＥＥＥ仕様８０２．１１及び産業、科学、及び医療（ＩＳＭ）バンド・ネットワーキング・プロトコルは典型的に、２．４ＧＨｚ又は５ＧＨｚ周波数帯域で動作する。ヨーロッパでは、ＨＩＰＥＲＬＡＮとして知られる標準が広く知られている。無線非同期転送モード（ＷＡＴＭ）標準は、開発中の別のプロトコルである。この後者の標準は、制御及びデータ転送機能を生ずることのできる転送フレームのフォーマットを定義する。フォーマット及び転送フレームの長さは固定又は動的に可変である。
【０００５】
従来の無線ネットワークは、１メガビット秒（Ｍｂｐｓ）以下のデータ・レートで動作する住居インターネット・トラフイックではかなり良く動作するが、高帯域幅ビデオ・プログラムの伝送ではずっと速いビデオ・データ速度のために問題を有する。高帯域幅データ伝送は、構造的障害物（例えば、壁、床、コンクリート、複数階等）、大きな電化製品（例えば、冷蔵庫、オーブン、炉等）、人の交通、衝突する装置（例えば、無線電話機、マイクロ波オーブン、隣接ネットワーク、Ｘ１０カメラ等）の存在、及びアクセス・ポイントと移動端末又は他の装置との間の物理的距離により劣化する。例えば、ＩＥＥＥ８０２．１１ｂ準拠無線送受信機は、１１．０メガビット秒（Ｍｂｐｓ）の指定されたデータ速度を持つが、伝送経路中の壁の存在が実効的データ速度を約１．０Ｍｂｐｓ又はそれ以下に低下させる。また、ビデオ信号の劣化は、再試行送信の繰り替えしを生じて、ビデオ映像にむらを発生する。これらの実用的な制限は、今日の無線技術を家庭メディア・ネットワークに利用可能な全てのネットワーキングの選択の中で最も信頼性の無いものにしている。
【０００６】
この問題を解決するための提案された１つの解決は、家庭内のアクセス・ポイントの数を増して、さまざまなアクセス・ポイントを高速ケーブル線で相互接続することである。しかし、この解決の欠点はケーブル線を構造の内側中に配線することが必要なことである。
【０００７】
代替的な解決は、建物内のネットワークの範囲を拡張するために無線リピーターを利用することである。例えば、カリフォルニア、アービンのＤリンク・システム社は、無線アクセス・ポイント、他のアクセス・ポイントとのポイント・ツー・ポイント・ブリッジ、ポイント・ツー・マルチポイント無線ブリッジ、無線クライアント、又は無線リピーターのいずれかを実行するものとして構成できる２．４ＧＨｚ無線製品を製造している。無線リピーターとして、この製品は主アクセス・ポイントから受信したパケットを再送信するために機能する。しかし、このタイプの無線リピーターの問題は、主アクセス・ポイント装置と同じ周波数で再送信することである。この結果、主アクセス・ポイントとリピーターとは同じチャンネルを共有するため、ネットワークの帯域幅は設置された各リピーターごとに実効的に減少する。例えば、もし、データ・パケットが同じチャンネル内で三回リピート（すなわち、再送信）する必要がある場合、各パケットは前のパケットがリピートされるまで待たなければならず、これは帯域幅損失結果が６７％であることを意味する。このため、もし、例えば、もし、最初のビデオ送信が２１Ｍｂｐｓで開始された場合、受信機端での実効ペイロード・データ速度は約７Ｍｂｐｓに減少する。当然、より多くのリピーターがあるとより多くのデータのホップが必要であり、従って、帯域幅損失は一層悪くなる。この手法は基本的に、無線ネットワークの範囲拡張−単一範囲に対する帯域幅のトレードオフであるが、プロセス中の貴重な帯域幅を犠牲にする。
【０００８】
ビデオ・データの無線送信の問題を解決する別の試みは、データ圧縮によりビデオの帯域幅を低下することである。この技術はビデオ・データを送信前に圧縮し、データが受信された後にそれを解凍することを含む。圧縮／解凍技術の主な欠点は、大部分の見る者にとって許容できないビデオ映像の品質を妥協する傾向があることである。また、この手法は送信中に接続を失うという問題も有する。
【発明の開示】
【発明が解決しようとする課題】
【０００９】
上述した欠点の観点から、家庭又は建物の全範囲中に大変高いデータ・レート（例えば、３０Ｍｂｐｓ）を提供する高信頼性無線ネットワーク（例えば、同軸ケーブルと同等）の強い必要性が存在する。
【課題を解決するための手段】
【００１０】
本発明は、以下の添付図面を参照した詳細な説明からより完全に理解される。しかし、説明された特定の実施の形態は本発明を限定する意図に解するべきではなく、説明及び理解の目的のみのためにある。
【００１１】
本発明によると、宛先装置へデータを無線送信するためのネットワークであって、データ・ソースからデータを受信するため接続されてデータを第１周波数チャンネル上で送信するための第１送受信機を含む無線ルーターと、第１周波数チャンネル上のデータを受信するための第２送受信機及び第１周波数チャンネルとは異なる第２周波数チャンネル上でデータを再送信するための第３送受信機を含む無線リピーターと、この無線リピーターからの第２周波数チャンネル上のデータを受信するための第４送受信機を含み宛先装置へ接続された無線受信機とを含むネットワークが提供される。
【発明の効果】
【００１２】
本発明では、帯域幅を劣化することなく送信範囲を拡張するためにセルラー技術を使用した自己構成適応型無線ローカル・エリア・ネットワーク（ＷＬＡＮ）が構築できる。従って、本発明の無線ネットワークは家庭又は他の建物中にビデオ・プログラム（例えば、デジタル符号化ビデオ放送サービス、ペイパービュー・テレビジョン、オンデマンド・ビデオサービス等）を送信するのに理想的に適しており、それにより「メディア生活」環境を作ることができる。
【発明を実施するための最良の形態】
【００１３】
以下の説明において、本発明の完全な理解を提供するために周波数、回路、構成等の多くの特定の詳細が説明される。しかし、通信技術分野の当業者にはこれらの特定の詳細は本発明を実施するために必要でないであろう。また、開示された基本的なアーキテクチャと概念はさまざまな異なる実現と応用に拡張できることが理解される。従って、以下の説明は本発明の範囲を限定するものとして考えられるべきではない。
【００１４】
図１を参照すると、本発明の１つの実施の形態による無線家庭メディア・ネットワーク１０は、ブロードバンド接続に接続されたソース・ビデオ・アクセス・ポイント１１を含む。例えば、ブロードバンド接続は直接放送人工衛星（ＤＢＳ）又はデジタル・ケーブル・プロバイダからのビデオ・コンテントを提供する。追加の無線アクセス・ポイント（本明細書の文章中では単に「アクセス・ポイント」又は「リピーター」と言う）が、無線通信のため構成されたさまざまな家庭メディア装置の間の接続性を提供するために家庭又は建物中に分布された態様で物理的に配置されてもよい。図１に示すように、これらの家庭メディア装置は、ラップトップ・パーソナル・コンピュータ１２、ＤＶＤプレイヤー１３、無線レデイ・テレビジョン１４、及び標準解像度又は高解像度テレビジョン（ＳＤＴＶ／ＨＤＴＶ）１６のいずれかに接続された無線接続受信機１５を含むことができる。また、パーソナル・デジタル・アシスタント（ＰＤＡ）などの他のタイプの装置も、データを受信及び／又は送信するためにネットワーク１０に接続できる。当業者には理解されるように、パーソナル・コンピュータ、テレビジョン、ＰＤＡ等の多くのクライアント・メディア装置は、特定のマイクロ・セルラー送信範囲中のアクセス・ポイントの動作周波数を検出できる能力を持つ。
【００１５】
これらのホーム・メディア装置の１つ又は複数の命令は、赤外線（ＩＲ）又は無線周波数（ＲＦ）信号のいずれかによりリモート制御ユニット１７を使用して発生できる。１つの実施の形態では、無線ネットワーク１０は、例えば、約３０Ｍｂｐｓの２つのＨＤＴＶストリーム；約１６Ｍｂｐｓの８つのＳＤＴＶストリームの複数同時的ビデオ・ストリームを支援するスループットの信頼性の有る全家庭カバレッジを提供する。
【００１６】
本発明によれば、複数のアクセス・ポイントが、帯域幅を保持して高い信頼性を達成する相対的に短い送信を提供するため無線ネットワーク中で使用される。本発明の無線ネットワークは、特定の領域内でアクセス・ポイント及び移動端末又はクライアント・メディア装置の間の通信を隣接する領域の通信周波数とは異なる周波数で行う三次元（３Ｄ）トポロジイを実現する。特定の実施の形態では、２．４ＧＨｚ及び５ＧＨｚ周波数帯域が無線通信のために使用される。例えば、米国では、２．４ＧＨｚ帯域は３つの重なり合いのないチャンネルを提供し、一方、５ＧＨｚ帯域は同時伝送トラフイックに対して１２の重なり合いのないチャンネルを提供する。本発明の無線ネットワークは、各データ・パケット・ホップについて異なるチャンネルを使用することにより帯域幅損失のない家庭での全範囲カバレッジを達成する。この特徴は、以下により詳細に説明するように、時間的に重なり合うデータ・パケットのリピーターを可能にする。
【００１７】
図２Ａは、２．４ＧＨｚ帯域で動作しそして特定のチャンネル、すなわち、チャンネル１で送信するアクセス・ポイント２０と関連した開放空間中の二次元伝搬特性を示す図である。内側円２１は、最大帯域幅の範囲を表し、そして、外側円２２は同じチャンネルの他の信号と干渉するアクセス・ポイント２０からの信号が終わる範囲を示す。図２Ｂは、それぞれ、円３１と３２により、５ＧＨｚで動作するアクセス・ポイント３０の最大帯域幅と干渉範囲を表す。図示されるように、両アクセス・ポイント２０及び３０は相対的に短い範囲の最大帯域幅を持ち、しかし、かなり広い干渉信号範囲を持つ。アクセス・ポイント３０はアクセス・ポイント２０より短い干渉範囲を持つことが明らかである。
【００１８】
図３は、本発明の１つの実施の形態による無線信号のリピートの例を示す。図３の実施の形態において、各アクセス・ポイント２０ａ−２０ｃは異なるチャンネル上で送信する。例えば、アクセス・ポイント２０ａは２．４ＧＨｚ帯域のチャンネル＃１上で動作し、同じ帯域でアクセス・ポイント２０ｂはチャンネル＃６上で動作し、そしてアクセス・ポイント２０ｃはチャンネル＃１１上で動作することが示される。内側円２１ａ−２１ｃは各々、それぞれのアクセス・ポイント２０ａ−２０ｃと関連した最大帯域幅範囲を示す。（外側円２２ａ−２２ｃは、それぞれのアクセス・ポイント２０ａ−２０ｃに付随した同じチャンネルの干渉信号範囲を示す。）図示のように、アクセス・ポイントの各々はその最近の隣接するアクセス・ポイントの最大帯域幅範囲内の距離に有利に位置している。同様に、宛先メディア装置２５は、その最近アクセス・ポイント２０ｃの最大帯域幅内に配置されている。
【００１９】
図３の例では、アクセス・ポイント２０ｂと２０ｃは、ソース・アクセス・ポイント２０ａから宛先装置２５へのデータ送信を容易にするために信号リピーターとして機能する。送信中の帯域幅損失を防止するため、各アクセス・ポイント２０ａ−２０ｃは、信号干渉範囲内の近くのいずれのアクセス・ポイントとは異なる周波数チャンネル上でデータ・パケットの送信をリピートする。チャンネルの干渉範囲の外に位置するアクセス・ポイントは同じチャンネルを再使用してもよい。この場合、ソース・データ・パケット１はチャンネル＃１上でアクセス・ポイント２０ａにより送信される。アクセス・ポイント２０ｂはチャネル＃６上でこのデータ・パケットの送信をリピートする。アクセス・ポイント２０ｃは再びデータ・パケット１の送信をリピートする。今度は、チャンネル＃１１上で行う。宛先メディア装置２５はチャンネル＃１１上でアクセス・ポイント２０ｃからデータ・パケット１を受け取る。
【００２０】
データ・パケット１の送信後、アクセス・ポイント２０ａは第２ソース・データ・パケット（パケット２）を直ちに送信し、その後に第３ソース・データ・パケット、第４ソース・データ・パケットと続く。これらのデータ・パケットの各々は図４に示すようにアクセス・ポイント２０ｂ及び２０ｃによりパイプライン方法でネットワークを横断してリピートされる。チャンネルを横断するデータ・パケットのパイプライン化は帯域幅の損失無くビデオ・データの送信することを容易にする。本発明の無線ネットワークは、十分な数のチャンネルが利用可能である限り、データ伝送が拡張できる距離には限界がない。
【００２１】
２．４ＧＨｚ帯域では、３つのチャンネルが最大の帯域幅で三次元空間中のいずれの方向（ソースからの最初の送信を含む）へ３つのホップを可能にする。通常、各ホップは最大帯域幅で約５０フィート（１５ｍ）延ばすことができるため、３つの異なるチャンネル（１つのソースに２つのリピーターを加えて）上での３つのホップはソースから宛先まで約１５０フィート（４５ｍ）の距離をカバーすることができる。ライセンス・フリー５ＧＨｚ帯域（例えば、５７２５ＭＨｚ乃至５８５０ＭＨｚ）では、現在、良好な通信状態の各チャンネルで５４Ｍｂｐｓ以上の帯域幅が利用可能な１２のチャンネルが存在する。２．４ＧＨｚ帯域と同様に、５ＧＨｚでの各ホップは典型的に最大帯域幅で約５０フィート（１５ｍ）延びるが、多数のチャンネルは無限に延びることを可能にする。すなわち、本発明により５ＧＨｚ帯域で動作する無線ネットワークでは、リピーターはチャンネル再使用に十分な遠くまで延びる。これは、ホップがソースから宛先まで限界無く送信範囲を拡張できることを意味する。
【００２２】
図５は、各ホップは約５０フィート（１５ｍ）延びて、１０ホップは約５００フィート（１５０ｍ）をカバーするネットワーク構成を示す例である。この例では、１０ホップの後、その干渉範囲を越えたいずれのチャンネルが再使用できる。同じチャンネル周波数（例えば、チャンネル＃１）上で動作するアクセス・ポイント回りの最大帯域範囲を表すより小さな内側円が相当な距離（〜４００フィート（〜１２０ｍ））だけ離間されていることに注意する。各アクセス・ポイントはその最近の隣接するものの最大帯域幅（すなわち、より小さい円）よりも短い距離だけ最近の隣接するアクセス・ポイントから離間されて示されていることに注意する。同時に、同じチャンネル上で送信するいかなる２つのアクセス・ポイントは干渉信号範囲よりも大きい距離だけ各々から離間して示されている。同じチャンネルを再使用するアクセス・ポイントはそれらのそれぞれの干渉範囲よりも大きい距離だけ離間されている。同じ周波数チャンネルを使用するアクセス・ポイント間の大きな空間的分離は、本発明の無線ネットワークに同じチャンネル上で動作するアクセス・ポイント間のチャンネル干渉に起因する送信問題が事実上存在しないことを意味する。
【００２３】
隣接するアクセス・ポイントが異なるチャンネル上で動作することに加えて、本発明の無線ネットワークを横断するデータ送信中に異なる周波数帯域も使用できる。例えば、代替的な実施の形態では、５ＧＨｚリピーターが２．４ＧＨｚデータ・トラフイックに対する任意の長さのバックボーンを形成するために使用できる。図６及び図７に、この状態の例が示されている。ソース・アクセス・ポイント４０ａが、５ＧＨｚリピーター４０ｂ＆４０ｃを使用して２．４ＧＨｚ宛先５５にデータ・パケットを送信することが示されている。ソース・ポイント４０ａとリピーター４０ｄ（宛先装置５５へ送信する）は共に２．４ＧＨｚで動作するが、帯域幅損失を防止するために異なるチャンネル、すなわち、チャンネル＃６及び＃１１、を使用することに注意する。
【００２４】
別の可能性は、宛先で５ＧＨｚ装置を使用し、そしてソースで２．４ＧＨｚアクセス・ポイントを使用する、又は、その反対を使用することである。ネットワークが、異なるチャンネル（全て間にあるリピーターについて５ＧＨｚを使用する）上で、２．４ＧＨｚから５ＧＨｚへ、又は、５ＧＨｚから２．４ＧＨｚへ、又は、２．４ＧＨｚから２．４ＧＨｚへのソースから宛先への周波数帯域遷移を持つ通信に対して構成される限り、２．４ＧＨｚチャンネルに単に３つのチャンネルしか利用可能できないという事実にも関わらず、ネットワークは２．４ギガヘルツ・トラフイックに対して任意の長さのバックボーンを提供できる。換言すれば、本発明の無線ネットワークは単一周波数帯域に閉じ込められたデータ送信に限定されない。
【００２５】
また、本発明によると、ソース及び宛先装置が共に同じチャンネルを使用して２．４ＧＨｚで動作する無線ネットワークを構成することが可能である。このような実施の形態が、図８の概念的な図に示されていて、図９に関連した送信チャートが示されている。この実施の形態では、ソース・アクセス・ポイント４０ａ及び宛先メディア装置５５に関連したリピーター４０ｄの両方がチャンネル＃６の２．４ＧＨｚ帯域で動作する。リピーター４０ｂ及び４０ｃは、それぞれ、チャンネル＃１及び＃２の５ＧＨｚ帯域で動作する。この特定の実施の形態では、５０％帯域幅損失のペナルテイを持つが、ネットワークはそれがカバーする全距離にかかわらず、追加の帯域幅損失無く、任意の距離へ拡張できる。この実施の形態の５０％帯域幅損失は、図９のチャートに示すように、アクセス・ポイント４０ａによるパケット送信とリピーター４０ｄによるパケット送信との間の干渉を回避するために、データ・パケット送信を時間間隔おいて送信する必要から生ずることが理解できる。
【００２６】
図１０を参照すると、本発明の１つの実施の形態による普通の電気差込口に設置するように構成された無線リピーター・ユニット６０の斜視図が示されている。図１１は、リピーター・ユニット６０の内部アーキテクチャの回路ブロック図である。リピーター・ユニット６０は、各々がシステムバス６５に接続して示されるＣＰＵ６２、ＲＡＭ６３、フラッシュＲＯＭ６４、及び入力／出力アプリケーション特定集積回路（Ｉ／Ｏ  ＡＳＩＣ）６６を含むさまざまな内部電子部品へ電圧を供給する変圧器／電源６１を含む。また、システムバス６５には、この特定の実施の形態では、５ＧＨｚ「上流」送受信機７４、５ＧＨｚ「下流」送受信機７５、及び２．４ＧＨｚ送受信機７６を含む複数の送受信機が接続されている。各送受信機７４−７６は、アンテナ７７に接続されている。異なる周波数で動作する追加の送受信機がリピーター・ユニット６０に含まれてよい。
【００２７】
ＣＰＵ６２は、ＲＡＭ６３をプログラム実行及び上流側、すなわち、最近のソースから受信されたパケットを下流側、すなわち、宛先方向へ送信する前にバッフアするための両方に使用して、受信されたデータ・パケットの再送信を制御する。フラッシュＲＯＭ６４は、例えば、ネットワーク・ユーザを人工衛星又はケーブル加入者サービスの許可を受けたユーザであることを確保するため、安全送信に関連したソフトウェア及び暗号キー情報を維持するのに使用される。
【００２８】
図１１の実施の形態では、１３９４コネクター・インターフェイス７０がＩ／Ｏ  ＡＳＩＣ６６へファイヤワイヤ（商標）ポート（１３９４ＰＨＹ物理的インターフェイス７３を介して結合される）を提供する。また、Ｉ／Ｏ  ＡＳＩＣ６６にはプッシュボタン・スイッチ６９とＬＥＤ表示パネル７１が接続される。プッシュボタン・スイッチ６９は、無線受信機又はソース・アクセス・ポイントが最初に設置された後にネットワークの使用のためにリピーター・ユニット６０を認証するためにインターフェイス７０と一緒に使用できる。本発明のこれらの観点は以下に詳細に説明される。
【００２９】
例えば、図１０は、各々が約２５００バイトの大きなパケットを使用する実効的に３６Ｍｂｐｓのスループットで動作するＩＥＥＥ仕様８０２．１１ａに準拠して動作する無線送受信機を含んだネットワーク中の上流リピーターを示す。当業者は、ＩＥＥＥ８０２．１１ａは一時に複数のチャンネルが使用できる仕様であることを理解するだろう。下流側には、異なる周波数チャンネルで動作する５ＧＨｚ帯域、８０２．１１ａ無線送受信機を含む別のリピーターが存在する。本発明はこれら特定の送受信機タイプ又は周波数帯域に限定されるものではないことを理解すべきである。他の実施の形態は他のタイプの送受信機を使用できる。例えば、ＩＥＥＥ仕様８０２．１１ａ、８０２．１１ｂ、又は８０２．１１ｇと互換性の有る仕様に準拠して動作する送受信機、又は高帯域幅の無線送信を提供するその他の送受信機である。本明細書の目的のため、ＩＥＥＥ仕様８０２．１１ａ、８０２．１１ｂ、８０２．１１ｇ、及び産業、科学、及び医療（ＩＳＭ）帯域ネットワーキング・プロトコルは、「８０２．１１ｘ」として示される。
【００３０】
同様に、他の非ＩＳＭ帯域無線ネットワーク・プロトコルも使用できる。例えば、５ＧＨｚ帯域の８０２．１１ａ送受信機を使用する代わりに、本発明のネットワークは、約４２Ｍｂｐｓの実効スループットで動作するＨＩＰＥＲＬＡＮ２と互換性の送受信機を使用して実現できる。
【００３１】
図１０上に、リピーター・ユニット６０と近隣に位置するクライアント無線メディア装置との間の送信が示されている。この例では、３６Ｍｂｐｓ実効スループット接続が、２．４ＧＨｚ帯域で動作するいずれのローカル装置へ接続するために使用できる８０２．１１ｇ２．４ＧＨｚ送受信機により与えられる。また、８０２．１ａ互換送受信機は、５ＧＨｚ帯域で動作するローカル・メディア装置へ接続するために使用できる。複数の無線リピーターにより構成されたネットワークでは、各無線リピーターは１つ又は複数のローカル装置への無線通信を提供する。例えば、図１２は、ネットワーク内に構成された３つのリピーター６０ａ−６０ｃを示す。各リピーターは、ラップトップ・コンピュータ又は無線テレビジョン等の近隣の無線装置への通信接続を提供する。従って、家庭又は事務所建物中にリピーター・ユニットを適当に分布させることにより、家庭又は事務所環境内のいずれの場所に位置するクライアント装置へ高帯域幅でメディア・コンテントを配達できる。
【００３２】
リピーター・ユニット６０は、ソース・アクセス・ポイント（例えば、ソース・ビデオ受信機）が動作した後に、本発明の無線ネットワーク中に設置される。１つの実施の形態では、新リピーター・ユニット６０は、ファイヤワイヤ・ケーブルを使用してソース・アクセス・ポイント又は既存のリピーター（既に電気差込口に挿入されていて無線ネットワークに接続している）に最初に接続される。ファイヤワイヤ・ケーブルは、既存リピーター又はソース・アクセス・ポイント及び新リピーターの間に接続される。電力がファイヤワイヤ・ケーブルを介して既存のリピーター又はアクセス・ポイントから新リピーターへ供給されて新リピーターの内部回路を活性化して、そして暗号キー情報が新リピーターのネットワークへの安全な接続を可能にするために交換できる。暗号情報の交換のためのプログラム命令の交換の実効は、図１０中のリピーター・ユニット６０の前面に位置するプッシュボタン・スイッチ６９を設置をする人が押すことにより開始できる。
【００３３】
暗号情報の交換が完了した後、２つの装置の間のファイヤワイヤ・ケーブルは切り離すことができる。そして、新規に活性化された暗号キーを持つリピーター・ユニットは、ユーザがネットワークを拡張したいと欲する家庭又は建物のいずれの場所の電気差込口に挿入できる。
【００３４】
リピーター・ユニット６０が挿入されると、直ちにＬＥＤ表示パネル７１上に受信信号強度の指示を出力する。ＬＥＤ表示パネル７１は、上流受信機への送信信号強度の指示を与え、そして家庭又は建物内でネットワークを拡張するためにリピーター・ユニット６０を位置付けるために有利に使用できる。例えば、もし、ＬＥＤ出力が強信号を指示する場合、設置する者はリピーター・ユニットをその現在の壁の差込口の場所から最近の既存のリピーターマタハアクセス・ポイントからさらに離れた場所に移すことを望むだろう。もし、新しい場所に移動して、ＬＥＤ表示パネル７１が「弱」又は「信号無し」の表示を出力した場合、これは新リピーターはネットワークの既存の接続点から離れすぎていることを意味する。いずれの場合、設置する者は、「強」又は「良」信号強度が示されるまで、リピーターを既存のリピーター又はアクセス・ポイントのより近くに戻さなければならない。
【００３５】
視覚表示の代わりに、別の選択として、送信信号品質の可聴指示を与えることができる。
【００３６】
ソース・アクセス・ポイント（例えば、ビデオ受信機）が新たに活性化されたリピーター・ユニットの存在を検出すると、それは自動的にセルラー・リピーター無線ネットワークの自己構成を行う。本発明のこの点が以下に詳細に説明される。
【００３７】
図１３に示されるネットワークの例は、本発明の１つの実施の形態の全帯域幅特徴の無制限範囲を示す。図１３において、ビデオ・アクセス・ポイント８０は離れた部屋に位置する無線受信機を含む宛先テレビジョン８１への下流に情報及びビデオ・データを送信するため、３６Ｍｂｐｓで動作することが示される。ビデオ・データは、直接放送人工衛星（ＤＢＳ）、ＤＳＬ、又はケーブル・テレビジョン（ＣＡＴＶ）などアクセス・ポイント８０へ提供されるデータ・サービス接続から発生する。リピーター６０ａと６０ｂは、それらのローカルの近隣にあるクライアント・メディア装置へビデオ・コンテントを配達するための中継アクセス・ポイントとして機能し、そして上流側から受信したデータ・パケットを下流へリピートする。図示されるように、各リピーターは３６Ｍｂｐｓで送信して、宛先テレビジョン８１が受信する実効スループットは３６Ｍｂｐｓに留まる。すなわち、帯域幅損失が無い。
【００３８】
図１４Ａと図１４Ｂは、本発明の１つの実施の形態による４つの分離した、安全な無線ネットワークを設置した建物８４のフロア・プランの平面図と側面図とをそれぞれ示す。図１４Ｃは、図１４Ａと図１４Ｂに示された１階フロア・プラン上に設置されたネットワークについてのリピーター・トポロジイを示す。建物８４内のソース・アクセス・ポイント（例えば、ビデオ・チューナー又はデータ・ルーター）は、使用された周波数チャンネルを指定する数を円内に持つ円により示される。追加のアクセス・ポイント（すなわち、リピーター）は、信号送信に使用されるチャンネルを同様に示す数を正方形内に持つ正方形により示される。図１４Ａ−１４Ｃの例では、４つのソース・アクセス・ポイント８５−８８の各々が、ブロードバンド・ネットワーク（例えば、ケーブル、ＤＳＬ等）に接続されて、各ソース・アクセス・ポイントがブロードバンド・チューナー／ルーターとして機能しているのが示されている。従って、４つの分離された無線ネットワークが建物８４の別の階に設置されているのが示されている。
【００３９】
図１４Ａ−１４Ｃに示される１階のフロア・プランを参照すると、アクセス・ポイント８５は、リピーター９１及び９２へチャンネル＃１上でビデオ・データ・パケットを送信する。そして両リピーター９１及び９２は受信されたデータ・パケットをチャンネル＃２上でリピートする。リピーター９３及び９４（共に、チャンネル＃３上）はリピーター９１から枝分かれしている。リピーター９５（チャンネル＃４）はリピーター９３を介してネットワークに接続されている。リピーター９６（チャンネル＃４）はリピーター９４から枝分かれしている。リピーター９７（チャンネル＃１）はリピーター９６から枝分かれし、そしてリピーター９８（チャンネル＃２）はリピーター９７から枝分かれして、１階のフロア・トポロジイを完成する。リピーター９７は同じチャンネルを使用するソース・アクセス・ポイント８５から相対的に遠い距離だけ離間しているためチャンネル＃１を再使用できることに注意する。さらに、図１４Ｂの側面図はリピーター９７上の２階フロア・ネットワークにチャンネル＃１を使用する装置がないことを示している。同じ理由で、リピーター９８はチャンネル＃２を再使用できる。
【００４０】
図１４Ａ−１４Ｃに示されるリピート無線ネットワークを作るために、アクセス・ポイント８５は１つの送受信機のみを必要とすることが理解される。アクセス・ポイント８５の内部送受信機はチャンネル＃１上に送信し、そして、この送信はリピーター９１及び９２の上流送受信機により受信される。リピーター９１はその下流送受信機を使用してチャンネル＃２上に送信し、そして、それはリピーター９３及び９４の上流送受信機により受け取られる。次に、これらの各々はそれらの下流送受信機上でそれぞれリピーター９５及び９６へ送信し、その後も同様である。この例では、アクセス・ポイント９８は下流の宛先メディア装置へ送信するのみであり、別のアクセス・ポイントへ送信しないことに注意する。すなわち、アクセス・ポイント９８は、リピーターとして機能せず、むしろ、アクセス・ポイント９８は単にそのローカル領域内の宛先メディア装置と通信する。
【００４１】
また、通信分野の当業者は、図１４Ａ−１４Ｃに示される１階のフロア・ネットワーク内の同じチャンネル上で送信する隣接アクセス・ポイント（例えば、リピーター９１と９２）は、互いに干渉しないことを理解する。この理由は、あるメッセージ又はデータ・パケットはトポロジイ・ツリーの１つの経路を同時に送信されるからである。さらに、図１４Ａ−１４Ｃの実施の形態によれば、トポロジイ・ツリー内の各アクセス・ポイントはネットワークを横断するデータ・メッセージをリピートするために任意の数の送受信機を必要としない。１つの上流送受信機と１つの下流送受信機で十分である。前述したように、例えば、追加の２．４ＧＨｚ帯域送受信機を、８０２．１１ｂ又は８０２．１１ｇ互換装置との通信を提供するために含むことができる。しかし、本発明の無線のネットワークにおいて使用されるアクセス・ポイント又はリピーター内に組み込まれる送受信機のタイプと数に特別な制限はないことを理解すべきである。
【００４２】
また、図１４Ａ−１４Ｃを参照すると、本発明の自己構成特徴が明らかである。本発明の１つの実施の形態によると、ソース・アクセス・ポイント内のプロセッサが、各アクセス・ポイント又はリピーターの使用のために割当てられる周波数チャンネルの最適な組を決定するプログラム又はアルゴリズムを実行する。チャンネルの最適な組とは、重なり合うチャンネルを含まず、そして同じ近所の他の干渉する装置により使用されるチャンネルを回避するものである。また、最適なチャンネル構成は、最大チャンネル再使用を選択できる。さらに、アクセス・ポイントにより使用されるチャンネルの組が選択されると、変調された電力が信号反射を減少するために各接続を横断する最大帯域幅を達成するのに必要な最小に減少できる。また、以下に説明するように、本発明の無線ネットワークは、新リピーターが追加された時、既存のリピーターが除去された時、又はネットワークがその他の干渉する装置（例えば、隣接ネットワークから）により生じた妨害を経験した時などに、チャンネル割当てを再構成することにより、ネットワークを変更するように構成できる。
【００４３】
図１４Ａ−１４Ｃにおいて、１階の無線ネットワークは各アクセス・ポイントにより使用されるチャンネルが建物８４の他の階に位置する他の装置と干渉しないように構成されていることに注意する。図１４Ｂの側面図は、ソース・アクセス・ポイント８５により作られた無線ネットワーク上の建物８４の上側の階にある干渉源を示す。２階乃至４階のチャンネル＃５−＃１０を使用する装置との干渉を回避するために、１階のネットワークはチャンネル＃１、＃２、＃３、及び＃４を使用するように自身を構成している。
【００４４】
自己構成プロセスを制御するための回路は、ソース・アクセス・ポイントに集中するか又は無線ネットワークを構成するアクセス・ポイント中に分配するかのいずれでもよい。いずれの場合も、システムは繰返しプロセスにより進行し、この中で周波数チャンネルの最適な組合せを見つけるため、アクセス・ポイントへ割当てられるチャンネルの可能な全ての組合せが試みられる。１つの実施の形態では、ネットワークは周波数の最適な組合せを決定するために自動的に周波数チャンネル中をホップする。秒単位で、ネットワークはどの周波数の組合せが最良の結果を生ずるかを決定するために全ての順列を繰返して完了することができる。最良の結果の１つの例は、ソースから各宛先への最高の平均帯域幅である。別の最良の結果は、ある宛先装置への帯域幅を最適にするものとして定義できる。例えば、もし、特定の宛先装置（例えば、ビデオ受信機）が他の宛先装置よりも高い帯域幅を必要とする場合、他の装置への帯域幅を低下させてその特定の宛先装置へのネットワーク経路中の帯域幅をより高くするためにチャンネルの割当てが最適化される。
【００４５】
また、本発明のシステムはネットワーク中の変調電力を最小に維持するために機能する。これはある場合に必要となる。例えば、多くの壁を通じて最大の距離へ送信するのに多くの電力を使用する時である。別の場合は、リピーターが近くに位置して送信して通過するための壁がほとんど無く、このためより少ない送信電力が必要とされる時である。ネットワークが最初にオンとなる時、アクセス・ポイントは通信の最大距離を確立するために最大電力で送信する。しかし、一旦、ネットワーク中の全てのリピーターとの通信が確立されると、電力出力は十分な信号送信特性（すなわち、閾値信号強度）を与えるレベルまで減少される。それ以上ではない。換言すれば、ネットワークは電力出力を絞り、それを次のリピーターに強い信号を作るのに必要なだけ高く維持する。このような動作の利点の１つは、受信品質と干渉する信号反射を減少することである。別の利点はより少ない電力消費である。
【００４６】
本発明の電力管理特徴の別の利点は、あるチャンネルをより短い距離だけ伝搬させることにより、送信が最大電力で行われた場合よりもトポロジイ中のより早い点でそのチャンネルをネットワーク内で再使用する機会を作る。
【００４７】
１つの実施の形態によると、本発明の無線ネットワークは発生したチャンネル衝突を自動的に検出し、その衝突を回避するためにネットワークを再構成することによりネットワークを衝突に対して適応させる。すなわち、アクセス・ポイントは連続して無線送信の信号品質を監視する。信号送信を許容レベル以下に落とすどんな妨害又は衝突も適応型再構成プロセスを開始する。
【００４８】
例えば、図１５Ａ及び図１５Ｂは、建物８４内のコードレス電話機（チャンネル＃２上で動作する正方形１０１により示される）の活性により生成された妨害を持つ図１４Ａ及び図１４Ｂにおいて前に示された無線ネットワークの平面図及び側面図をそれぞれ示す。図示するように、コードレス電話機１０１により発生した干渉はリピーター９１及び９２の範囲内にある。この結果、これらのリピーターの送信に影響を与える。本発明の１つの局面によると、ネットワークは自動的にチャンネル衝突を検出して、干渉に打ち勝つためにそれ自身を再構成する。
【００４９】
図１６Ａ及び１６Ｂは、コードレス電話機１０１により生じたチャンネル衝突を克服するために再構成された後の図１５Ａ及び図１５Ｂのネットワークを示す。容易に理解されるように、建物８４には使用中の多くの既存のチャンネルが存在する。上の階で使用されているチャンネルがあるため、ネットワークは単純にリピーター９１と９２により使用されているチャンネルを異なるものと交換することはできない。代りに、この例では、本発明の無線ネットワークはソース・アクセス・ポイント８５のチャンネル＃１をチャンネル＃５と置き換える。これはチャンネル＃１が両リピーター９１と９２のチャンネル＃２と置き換えられることを可能にする。さらに、リピーター９１と９２により使用されたチャンネル＃１がリピーター９７（図１５Ａと図１５Ｂ参照）により使用されるチャンネル＃１と接近しすぎるため、無線ネットワークはまた、リピーター９７のチャンネル＃１をチャンネル＃８と置き換える。チャンネル＃８は建物８４内での他の使用は構造の他の端の４階にあるだけであるから、チャンネル＃８はリピーター９７のために使用できることに注意する。また、リピーター９８は、チャンネル＃２の代りにチャンネル＃１を使用するように再構成されていることが示される。
【００５０】
上述した適応プロセスは、上述した自己構成プロセスと同様な方法で実行できる。すなわち、どんな新たな衝突を発生することなく、チャンネル衝突を克服するために動作する最適な組合せを見つけるまでチャンネルの異なる可能な組合せの全てが試みられる。適応プロセスは、既に確立されたチャンネルを変更又は移動することを試みないアルゴリズムに依存することができる。例えば、図１６Ａ及び図１６Ｂの例では、リピーター９３と９４により使用されるチャンネル＃３、及び、リピーター９５と９６により使用されるチャンネル＃４はその場所に残される。換言すると、チャンネル衝突の発生源にかかわらず、本発明のネットワークは性能を最適にするためにそれ自身を再構成することにより妨害に対して適応する。
【００５１】
チャンネル衝突が本当に回避できないというあまりありそうのない出来事の場合、すなわち、ネットワークが衝突無しにソースからいずれかの宛先まで延びることを可能にするチャンネルの組合せが存在しない場合（隣接ネットワークによるチャンネルの過度の使用がある状態で発生し得る）、本発明の無線ネットワークは帯域幅を減少して接続性を維持する。このようなシナリオが図１７Ａと１７Ｂ及び図１８Ａと１８Ｂに描かれている。
【００５２】
図１７Ａと１７Ｂは、チャンネル＃５上で動作する無線カメラ１０２により発生された追加のチャンネル衝突を除いて、コードレス電話機１０１が活性化された図１５Ａと１５Ｂの前に示された衝突を示す。ここでは、カメラ１０２により発生された追加の衝突に起因して、ネットワークが衝突無しにいずれのソースからいずれの宛先に到達することを可能にするチャンネル割当ての組合せが存在しない。このような状態では、ネットワークは図１８Ａと１８Ｂに示されるように、ネットワークはリピーター・トポロジイの連続した枝に同じチャンネルを再使用することにより適応されている。図１８Ａと１８Ｂは、チャンネル＃３を使用するリピーター９１と９２を持つ再構成された無線ネットワークを示す。リピーター９３と９４もチャンネル＃３上で動作するため、ネットワークの帯域幅は５０％まで減少する。しかし、チャンネルの交換の利点はネットワークの残り部分中に維持されている。帯域幅をネットワークの各レグ又は繰返し部分を通じて損失し続ける従来のリピート・ネットワークとは異なり、図１８Ａと１８Ｂに例示された特別な状態では、帯域幅を損失するのはネットワーク内で唯一の場所である。さらに、全帯域幅損失は５０％に留まる。すなわち、帯域幅はネットワークの各連続リピート部分により連続して減少されることはない。
【００５３】
本発明のさらに別の実施の形態では、同時に動作するための同時的無線ネットワークを生成できる。同時的無線ネットワークはあるアプリケーションでは望ましい。例えば、各々が１５Ｍｂｐｓで動作する３つのＨＤＴＶセットが存在する場合である。もし、主ネットワークのバックボーンが３６Ｍｂｐｓで動作する場合、利用可能な帯域幅は３つの全てのスクリーンを収容するためには不十分である。本発明により提供される解決は、第２のビデオ・チューナー（すなわち、第２ソース・アクセス・ポイント）を設置して、トポロジイの残りの各枝中のリピーターの数を２倍にすることである。
【００５４】
図１９は、帯域幅を増加するために建物８４内で動作する２つの同時的無線ネットワークを示すフロア・プランである。このような配置は複数のＨＤＴＶビデオ・ストリームを支援するのに理想的に適している。図１９の例では、アクセス・ポイント１１０と１２０の各々は、ブロードバンド接続を持つ無線ビデオ・チューナー又はルーターを含む。アクセス・ポイント１１０はチャンネル＃１上で動作し、そしてアクセス・ポイント１２０上で動作するように示されている。この場合、フロア・プランの上側左及び下側左部分に別個の経路が作成される。アクセス・ポイント１１０からの経路は、それぞれチャンネル＃２、＃３、及び＃４上のリピーター１１１、１１２、及び１１３を含む。一方、アクセス・ポイント１２０からの経路は、それぞれチャンネル＃６、＃７、＃８、＃９及び＃１０上のリピーター１２１、１２２、１２３、１２４及び１２５を使用して実現される。
【００５５】
十分な数の利用可能なチャンネルが存在する限り、図１９の配置では帯域幅が任意に増加することができる。換言すると、増加するデータ速度要求を満足するために任意に帯域幅を増加するために家庭又は事務所環境では、３つ、４つ、又はそれ以上の同時的に動作する無線ネットワークを実現できる。もし、十分な数のチャンネルが利用可能であるならば（例えば、チャンネル再使用のために十分な距離をわたってネットワークの拡張を可能にし）、本発明により達成できる帯域幅に限界は無い。
【００５６】
図２０の例を参照して、本発明の無線ネットワークにより提供される安全特徴が説明される。図２０は、本発明の１つの実施の形態による無線ネットワークを示し、ＤＢＳ又はＣＡＴＶなどのソースから実時間ストリーミング・メディアを受信するために接続されたチューナー１３０を含む。チューナー１３０は、この例では、標準分解能テレビジョン１３４に接続された無線受信機１３３を含む宛先装置へ、おそらく１つ又は複数のリピーターを介して、ソースにより提供されるメディア・コンテントを送信する。もちろん、ソースにより提供されるメディア・コンテントは暗号化されている。許可されたユーザ又は加入者のみがメディア・コンテントにアクセスすることが許される。典型的に、チューナー１３０は、デジタル的に暗号化された形式でケーブル又は人工衛星プロバイダからメディア・データを受信する。この暗号は無線ネットワークを通じてＳＤＴＶ１３４まで維持される。無線受信機１３３は信頼された装置である。すなわち、それは設置時に暗号キー情報の交換により安全にされている。この結果、受信機１３３はメディア・コンテントがチューナー１３０からネットワークを横断して到着する時にそれを復号化できる。従って、データ安全性が、潜在的に多くのリピーター・ホップにわたり、無線ネットワークの全幅にわたり維持されて、無線ローカル・エリア・ネットワークの許可されていない使用を得ようとするもぐり又は不謹慎なハッカーを防止できる。
【００５７】
また、暗号化されたデータに加えて、本発明の無線ネットワークは対話式経験のための重ね合わせグラフイックス及び遠隔制御などのプレゼンテーション・レイヤー・データ及び情報も送信できる。換言すると、ネットワークは上流及び下流の両方へ情報を運ぶことができる。
【００５８】
当業者はさらに、チューナー１３０が、圧縮化されたデジタル・ビデオを受信することに加えて、アナログ・ビデオをデジタル化し、それを復号化し、そして無線ネットワークを横断して送信する前に受信されたソース・データを圧縮しても良いことを理解する。圧縮されたビデオがチューナー１３０により送信される場合、受信機１３３はそれを受信する時にデータを解凍する。代替的に、解凍回路がテレビジョン１３４（又は、アドオン・ボックス内）内に組み込まれて同じ作業を実行してもよい。受信機１３３、又は、無線可能テレビジョン１３４は、上流の無線リピーター６０及びチューナー１３０にそれ自身が高帯域幅を必要とする装置であると識別させてもよい。ネットワークが干渉源を回避するためにそれ自身を再構成する時、チューナー１３０から受信機１３３又は無線可能テレビジョン１３４へのネットワーク経路中の帯域幅を最適化するためにチャンネルを割当てる際にこの要求を考慮することができる。
【００５９】
代替的な実施の形態では、チューナー１３０は人工衛星又はケーブル・サービス・プロバイダから受信する時に実時間メディア・ストリームを復号して、そしてその同じデータを無線ローカル・エリア・ネットワークについてふさわしい異なる暗号化スキームを使用して再暗号化する。従って、この代替的な実施の形態では、ネットワークにより適当に可能化された装置のみがそのネットワークを経由して受信されたメディア・コンテントを演奏又は上映することが許される。本発明のこの実施の形態の無線ネットワークは単一又はユニキャスト信号であるため、それは適当な暗号キー情報により許可された適当に可能化された受信機のみにより受信できる。換言すると、ソースから宛先へネットワークを横断して送信されたメディア・コンテントは、たまたま単に受信機を持つ誰にでも利用可能にはならない。
【００６０】
さらに別の可能性は、ケーブル又は人工衛星会社がメディア・コンテントを実際に受信するメディア・クライアント装置の数に関係なく、特定の家庭又は事務所環境内で送信できるストリームのある制限された数（例えば、３つ又は４つ）を可能にする権利をチューナー１３０に許可することである。これはメディア・コンテントの配達を制限する別の単純な方法である。
【００６１】
さらに別の代替的な実施の形態では、チューナー１３０はＤＢＳ又はデジタル・ケーブルＴＶ源からビデオ・データ・パケットを受信して、そのパケットを内部ＲＡＭ（図２１参照）内にバッフアする。そして、ビデオ・データ・パケットはより大きいパケットに一緒にグループ化される。例えば、ＭＰＥＧ−２送信は１８８バイト・パケットを持ち、８０２．１１ｘトランスポートでは低い効率を生ずる。これらの相対的に小さいパケットをより大きいパケットにグループ化することにより（例えば、１２個の１８８バイト・パケットが一緒にグループ化されると２．２５６Ｋバイト・パケットを形成する）、より良い８０２．１１ｘ効率を達成できる。多くの従来の８０２．１１ｘネットワークは、このような大きいパケットを長距離にわたり送信する時、高い確率の送信エラーを発生する。このようなエラーが発生すると、もちろん、そのパケットの再送信を必要とするが、その再送信中に別のエラーが発生する同じリスクを伴う。相対的に短い距離（すなわち、リピーターの最大帯域幅内）により分離されたリピーターを使用することにより、送信エラー・レートは従来の無線ネットワークと比較して劇的に減少する（例えば、＜１０-6）。従って、より大きいパケット（例えば、５００バイト又はそれ以上）が使用できるから、本発明の無線ネットワークは低いエラー・レートで高い効率のスループットを達成できる（例えば、３６Ｍｂｐｓ又はそれ以上）。限定的ではなく例示として、本発明の１つの実施の形態は、約１０-7又はそれ以下のビット・エラー・レートで任意の長さの８０２．１１ｘネットワークを横断して２．２５６Ｋバイト・パケットを送信して約３２Ｍｂｐｓの実効スループットを達成することができる。
【００６２】
本発明の別の特徴は、無線ネットワークの範囲内にたまたまいるどんなユーザにも接続を与えることができる能力である。例えば、もし、無線リピーター又はアクセス・ポイントが建物の窓又は屋上の近くに設置されると、無線ネットワークの屋外範囲は近くの公園又は他の建物（例えば、カフェ又はコーヒー・ハウス）へ拡張できる。既存の無線送信機と受信機とを備えたラップトップ・コンピュータを持ちそして無線ネットワークの範囲にたまたまいるユーザは、インターネットに接続でき、ビデオ・プログラムを見ることができ、音声プログラムを聴くことができ、又は後の演奏又は検索のためにそのディスク・ドライブ上にメディア・コンテントを記憶することができる（適当な権利を有する）。換言すると、本発明は可搬性コンピュータのユーザへメディア・コンテントを彼等と共に持ち運ぶことができるようにして一層の移動性を与える。
【００６３】
また、メディア・コンテントは、無線ネットワークから無線ディスク・サーバー上に保管記憶のためにダウンロードできる。
【００６４】
さらに、当業者には本発明の無線ネットワークがクライアント装置に依存しないことを理解できる。ネットワークにとり、送信されたメディア・コンテントを受信する宛先端の装置がどんなタイプかは重要ではない。本発明のＷＬＡＮ上で運ばれるビデオ及びグラフイックス・コンテントは、複数のタイプのテレビジョン、コンピュータ（例えば、マッキントッシュ（商標）又はＰＣ）、異なるＭＰ３プレイヤー、ＰＤＡ、デジタル・カメラ等上で表示できる。例えば、２．４ＧＨｚ帯域無線カードを備えたどんなＰＣ又はマックは無線ネットワークの存在を検知できる。それが動作中の無線ネットワークを検知すると、それはメディア・コンテントにアクセスするために必要な安全及びプロトコル情報を含んだドライバをダウンロードできる。リアルプレイ（商標）、クイックタイム（商標）、又は、ウインドウズ（商標）メディアプレイなどの容易に入手可能なソフトウェアがネットワークを介して提供されたコンテントを上映するために使用できる。
【００６５】
次に、図２１を参照すると、本発明の１つの実施の形態によるＤＢＳチューナーのアーキテクチャを示す回路ブロック図が示されている。図１１に示すリピーター・ユニットのアーキテクチャと同様に、ＣＰＵ１４４、ＲＡＭ１４５、フラッシュＲＯＭ１４６、及びＩ／Ｏ  ＡＳＩＣ１４７がシステムバス１５０に接続されている。また、共にアンテナ１６０に接続された５ＧＨｚ帯域下流送受信機１５６と２．４ＧＨｚ帯域送受信機１５７もシステムバス１５０へ接続されている。（上流送受信機はソース端には必要でない。）
人工衛星から供給されるデータは、チューナー１４０により受信され、スマート・カード１４２からの最新の暗号キー情報を受け取るように構成されている復号回路１４１へ出力される。そして、ブロック１４１からの復号されたデジタル・ストリーム出力は無線ネットワーク上に送信される前に暗号化回路１４３により再暗号化される。上述したように、再暗号化は無線ネットワークに対してふさわしいタイプの暗号化であり、人工衛星暗号化スキームに固定されるものではない。
【００６６】
また、図２１のアーキテクチャの図は、図１１と関連して前述したような、コネクタ、表示装置、及びプッシュボタン１５１−１５３を含むことが示される。電源ユニット１５９がチューナーの内部電子部品へ供給電圧を与える。
【００６７】
図２２は、本発明の１つの実施の形態によるケーブル・テレビジョン・チューナーの基本的なアーキテクチャを示す回路ブロック図である。当業者は、図２２のアーキテクチャがアナログ及びデジタル信号チャンネルが両方存在することによりいくぶんより複雑であることを理解する。要素１６１−１７２は、上述のＤＢＳチューナーの対応する部品と基本的に同じである。
【００６８】
チューナー１７５は、ケーブル供給を受信して、そのチューナーがアナログ又はデジタル・ケーブル・チャンネルに同調されていかに依存して、受信信号をアナログ又はデジタル・チャンネルへ分離する。もし、それがアナログ・チャンネルならば、ビデオ・コンテントは最初にブロック１７７により復号化され、そして下流送信前に回路ブロック１８０により圧縮される（例えば、ＭＰＥＧ２又はＭＰＥＧ４）。もし、それがデジタル・チャンネルならば、ＱＡＭ復調回路１７６がブロック１７８により復号される前に受信信号を復調するために使用される。商業ケーブル・システム用の復号キーを含んだポイントオブデプロイメント（ＰＯＤ）モジュール１７９が復号ブロック１７８に接続されていることが示される。復号の後、ストリーミング・メディア・コンテントは無線ネットワーク上を下流送信される前にブロック１８１により再暗号化される。
【００６９】
図２２は、一方向ケーブル・システムを示す。当業者には周知のように、双方向ケーブル・システムは、例えば、ユーザが見るたびに支払う映画を注文するためにケーブルを逆方向に通信するための変調器をさらに含む。
【００７０】
図２３は、本発明の１つの実施の形態による無線受信機の基本的なアーキテクチャを示す回路ブロック図である。前述したリピーター、ＤＢＳチューナー、及びケーブル・チューナーのアーキテクチャと同様に、図２３に示す無線受信機は、システムバス１８８に接続されたＣＰＵ１８５、ＲＡｍ１８６、及びフラッシュＲＯＭ１８７を含む。電源ユニット１８４は、図示された各回路要素に供給電圧を与える。
【００７１】
また、図２３には５ＧＨｚ上流送受信機１８９がアンテナ１９０とシステムバス１８８とに接続されて示されている。図２３の受信機は下流送信をせず、テレビジョンなどの表示装置へ直接出力するために必要なのは単一の送受信機のみである。前述したように、５ＧＨｚ帯域はより多い利用可能チャンネルの利点を提供する。従って、バス１８８に接続されたＩ／Ｏ  ＡＳＩＣ回路１９２は、表示装置を駆動するための出力信号を生成するのに必要なグラフイックス、オーディオ、復号、及びＩ／Ｏチップ（ブロードコム・コーポレイション及びＡＴＩテクノロジーズ社などの製造業者から商業的に入手可能）を含む。従って、図１１のリピーター・アーキテクチャで見られる要素１９３−１９５に加えて、Ｉ／Ｏ  ＡＳＩＣ１９２は、ＤＶＩコネクタ１９６（ＨＤＴＶ用）、アナログ・オーディオ／ビデオ（Ａ／Ｖ）出力１９７、ＳＰ／ＤＩＦ出力１９８（周囲音及びデジタル・オーディオ用光信号）、リモート・コントロール・ユニットからの命令を受け取るための赤外線受信機ポート１９９への出力も与える。
【００７２】
また、本発明の要素は、プロセスを実行するためにコンピュータ（又は、他の電子装置）をプログラムするために使用される命令を記憶した機械読取可能媒体を含んだコンピュータ・プログラム製品としても提供できる。機械読取可能媒体は限定的ではなく、フレキシブル・ディスケット、光ディスク、ＣＤ−ＲＯＭ及び光磁気ディスク、ＲＯＭ、ＲＡＭ、ＥＰＲＯＭ、ＥＥＰＲＯＭ、磁気及び光学カード、伝搬媒体、又は電子命令を記憶するのに適した他のタイプの媒体／機械読取可能媒体を含む。例えば、本発明の要素は、コンピュータ・プログラム製品としてダウンロードでき、その中で、プログラムは遠隔コンピュータ（例えば、サーバー）から要求コンピュータ（例えば、クライアント）へ搬送波又は通信リンク（例えば、モデム又はネットワーク接続）を介して他の伝播媒体中に具体化されたデータ信号により転送できる。
【００７３】
さらに、本発明が特定の実施の形態と関連して説明されたが、数多い修正と変形が本発明の範囲内にある。従って、本明細書と図面は制限的意味ではなく説明的意味にとらえるべきである。
【図面の簡単な説明】
【００７４】
【図１】本発明の１つの実施の形態による無線ネットワークの概念的な図。
【図２Ａ】２．４ＧＨｚで動作するアクセス・ポイントの伝搬特性を示す図。
【図２Ｂ】５ＧＨｚで動作するアクセス・ポイントの伝搬特性を示す図。
【図３】本発明の１つの実施の形態による無線信号のリピートの例を示す図。
【図４】本発明の１つの実施の形態によるソースから宛先へのパイプライン化されたデータ・パケットの流れを示す図。
【図５】本発明の別の実施の形態による限界のないデータ送信範囲の拡張例を示す図。
【図６】本発明の別の実施の形態による５ＧＨｚリピーター・バックボーンを使用した２．４ＧＨｚトラフイックのための無線信号リピーター例を示す図。
【図７】図６の実施の形態によるソースから宛先へのパイプライン化されたデータ・パケットの流れを示す図。
【図８】本発明のさらに別の実施の形態によるソースと宛先が同じチャンネルにあり、５ＧＨｚリピーター・バックボーンを使用した２．４ＧＨｚトラフイックのための無線信号リピーターの例を示す図。
【図９】図８の実施の形態によるソースから宛先へのパイプライン化されたデータ・パケットの流れを示す図。
【図１０】本発明の１つの実施の形態による無線リピーターの斜視図。
【図１１】図１０に示された無線リピーターの内部アーキテクチャの回路ブロック図。
【図１２】本発明の１つの実施の形態による無線ネットワーク中に配置された３つのリピーターを示す図。
【図１３】本発明の１つの実施の形態による全帯域幅において制限の無い範囲を示す図。
【図１４Ａ−Ｂ】本発明の１つの実施の形態による無線ネットワークが設置された建物のフロア・プランを示す平面図及びその側面図。
【図１４Ｃ】図１４Ａ及び１４Ｂに示される一階のリピーターのトポロジーを示す図。
【図１５Ａ】図１４Ａの無線ネットワークを示す妨害と共に平面図。
【図１５Ｂ】図１４Ｂの無線ネットワークを示す妨害と共に側面図。
【図１６Ａ】妨害に打ち勝つために再構成した後の図１５Ａの無線ネットワークを示す図。
【図１６Ｂ】妨害に打ち勝つために再構成した後の図１５Ｂの無線ネットワークを示す図。
【図１７Ａ】本発明の１つの実施の形態による設置された無線ネットワーク中のチャンネル衝突の別の例を示す図。
【図１７Ｂ】本発明の１つの実施の形態による設置された無線ネットワーク中のチャンネル衝突の別の例を示す図。
【図１８Ａ】チャンネル再構成後の図１７Ａのネットワークを示す図。
【図１８Ｂ】チャンネル再構成後の図１７Ｂのネットワークを示す図。
【図１９】本発明の１つの実施の形態による建物内での同時的な２つの無線ネットワークの動作を示すフロア・プランの図。
【図２０】本発明の別の実施の形態による無線ネットワークを示す図。
【図２１】本発明の１つの実施の形態によるＤＢＳチューナーの基本的アーキテクチャの回路ブロック図。
【図２２】本発明の１つの実施の形態によるケーブル・テレビジョン・チューナーの基本的アーキテクチャの回路ブロック図。
【図２３】本発明の１つの実施の形態による無線受信機の基本的なアーキテクチャの回路ブロック図。
【符号の説明】
【００７５】
１１、２０ａ、４０ａ、８０、１３０      ソース（第１）アクセス・ポイント
２０ｂ、２０ｃ、４０ｂ、６０ａ、６０ｂ  無線リピーター（追加アクセス・ポイント）
２５、５５、８１、１３４                宛先装置
７４、１８９                            上流送受信機
７５、１５６、１６７                    下流送受信機
７６、１５７、１６８                    追加送受信機
【図１】
2004248289.tif 000003
【図２Ａ】
2004248289.tif 000004
【図２Ｂ】
2004248289.tif 000005
【図３】
2004248289.tif 000006
【図４】
2004248289.tif 000007
【図５】
2004248289.tif 000008
【図６】
2004248289.tif 000009
【図７】
2004248289.tif 000010
【図８】
2004248289.tif 000011
【図９】
2004248289.tif 000012
【図１０】
2004248289.tif 000013
【図１１】
2004248289.tif 000014
【図１２】
2004248289.tif 000015
【図１３】
2004248289.tif 000016
【図１４Ａ−Ｂ】
2004248289.tif 000017
【図１４Ｃ】
2004248289.tif 000018
【図１５Ａ】
2004248289.tif 000019
【図１５Ｂ】
2004248289.tif 000020
【図１６Ａ】
2004248289.tif 000021
【図１６Ｂ】
2004248289.tif 000022
【図１７Ａ】
2004248289.tif 000023
【図１７Ｂ】
2004248289.tif 000024
【図１８Ａ】
2004248289.tif 000025
【図１８Ｂ】
2004248289.tif 000026
【図１９】
2004248289.tif 000027
【図２０】
2004248289.tif 000028
【図２１】
2004248289.tif 000029
【図２２】
2004248289.tif 000030
【図２３】
2004248289.tif 000031
【手続補正書】
【提出日】平成16年2月13日(2004.2.13)
【手続補正１】
【補正対象書類名】特許請求の範囲
【補正対象項目名】全文
【補正方法】変更
【補正の内容】
【特許請求の範囲】
【請求項１】
宛先装置へデータを無線送信するためのネットワークであって、
データ・ソースからデータを受信するため接続され、データを第１周波数チャンネル上で送信するための第１送受信機を含む無線ルーターと、
第１周波数チャンネル上のデータを受信するための第２送受信機及び第１周波数チャンネルとは異なる第２周波数チャンネル上でデータを再送信するための第３送受信機を含む無線リピーターと、
無線リピーターからの第２周波数チャンネル上のデータを受信するための第４送受信機を含み、宛先装置へ接続された無線受信機と、
を含むネットワーク。
【請求項２】
第１、第２、第３、及び第４送受信機が、２．４ＧＨｚ周波数帯域又は５ＧＨｚ周波数帯域のいずれかで動作する請求項１に記載のネットワーク。
【請求項３】
１つ又は複数の追加の無線リピーターをさらに含み、追加の無線リピーターの各々がデータを受信するための上流送受信機及びデータを再送信するための下流送受信機を有し、無線ルーターと無線受信機との間のネットワーク範囲を拡張するために配置されている請求項１に記載のネットワーク。
【請求項４】
１つ又は複数の追加の無線リピーターの各々が、近隣に位置する１つ又は複数の追加の宛先装置へデータを送信するための追加送受信機をさらに含む請求項３に記載のネットワーク。
【請求項５】
無線ルーター及び無線リピーターの第１及び第２周波数チャンネルを自己構成するための手段をさらに含む請求項１に記載のネットワーク。
【請求項６】
第１、第２、第３、及び第４送受信機が、８０２．１１ｘ仕様に準拠して動作する請求項１に記載のネットワーク。
【請求項７】
宛先装置が、テレビジョンを含む請求項１に記載のネットワーク。
【請求項８】
宛先装置が、コンピュータを含む請求項１に記載のネットワーク。
【請求項９】
建物でのデータ・ストリームの無線送信用のネットワークであって、
ソースからのデータ・ストリームを受信するために接続されて第１データ・レートでデータを送信する第１アクセス・ポイントと、
各々が第１チャンネル上でデータ・ストリームを受信するための上流送受信機及び第２チャンネル上で実質的に第１データ・レートでデータ・ストリームを再送信するための下流送受信機を含む、建物に分布された複数の追加アクセス・ポイントと、
を含む複数のアクセス・ポイントを有するネットワーク。
【請求項１０】
建物でのデータ・ストリームの無線送信のためのネットワークであって、
各々が、最大帯域幅の第１送信範囲及び信号干渉の第２送信範囲を有し、第１送信範囲よりも小さい第１距離だけ最近の隣接するものから離間したトポロジイに配置された、複数のアクセス・ポイントを含み、複数のアクセス・ポイントは、
ソースからのデータ・ストリームを受信するために接続されて、データ・ストリームを第１データ・レートで複数のチャンネルを持つ第１周波数帯域の第１チャンネル上で送信する第１アクセス・ポイントと、
データ・ストリームを受信してデータ・ストリームを実質的に第１データ・レートで第１周波数帯域にて再送信する１つ又は複数の追加アクセス・ポイントとを含み、
各アクセス・ポイントは複数のチャンネルの中の１つで送信して、同じチャンネルで送信するアクセス・ポイントのいずれの対も第２送信範囲より大きい距離だけ離間されているネットワーク。
【請求項１１】
第１アクセス・ポイントが、無線人工衛星チューナーを含む請求項１０に記載のネットワーク。
【請求項１２】
第１アクセス・ポイントが、無線データ・ルーターを含む請求項１０に記載のネットワーク。
【請求項１３】
１つ又は複数の追加アクセス・ポイントの各々が、特定のチャンネル上でデータ・ストリームを受信する上流送受信機及び異なるチャンネル上でデータ・ストリームを再送信する下流送受信機を含む請求項１０に記載のネットワーク。
【請求項１４】
第１周波数帯域が、５ＧＨｚ周波数帯域を含む請求項１０に記載のネットワーク。
【請求項１５】
第１データ・レートが、３０Ｍｂｐｓ又はそれより大きい請求項１０に記載のネットワーク。